(57)【特許請求の範囲】
【請求項１】
パーティションボード１の一側端部を蝶番１０によってベランダ等の手摺り９，３１側に枢着し、他側端部に取り付けた固定具１１によって該他側端部を建物躯体壁８側に着脱可能に固定し、この固定具１１を建物躯体壁８から取り外してボード他側端部の固定を解放することによって、パーティションボード１をその一側端部の蝶番１０を中心に回動開閉可能とし、パーティションボード１は前記一側端部を蝶番１０の取付板１２に対して手摺り側に近づく方向にスライド可能に取り付けてなることを特徴とするパーティションボードの取付構造。
【請求項２】
蝶番１０は、一対の取付板１２，１３の夫々の一端側に、夫々断面Ｌ字状の屈曲部片１２ａ，１３ａを介してピン挿通用円管部１４，１５を連設し、これら円管部１４，１５に枢支ピン１６を挿通して前記一対の取付板１２，１３を互いに枢着してなることを特徴とする請求項１に記載のパーティションボードの取付構造。
【請求項３】
蝶番１０の各取付板１２，１３には円管部１４，１５の軸方向と直交する方向に長いボルト及び又はビス挿通用の長孔１７，１８，１９を設けてなることを特徴とする請求項１又は２に記載のパーティションボードの取付構造。
【発明の詳細な説明】
【０００１】
【発明の属する技術分野】
本発明は、マンション等の建物のベランダやバルコニーにおいて、互いの隣室間の境界又は目隠し等として設置されるパーティションボードの取付構造に関する。
【０００２】
【従来の技術】
パーティションボードは、左右両縦枠及び上下横枠からなる金属製の周枠と、この周枠に取り付けられるボード本体とによって構成されるもので、ボード本体は、火災発生時等の非常時に突き破って互いに隣室側へ抜け出れるように石膏ボード等の破壊し易い材料で形成されている。しかして、従来、パーティションボードの設置にあたっては、周枠の一方の縦枠側を建物躯体側に、また他方の縦枠側を手摺り側に夫々ボルトを含む固定具によって固定している。
【０００３】
【発明が解決しようとする課題】
このようにパーティションボードの両側端部を建物躯体側と手摺り側に夫々固定具で固定するようにした取付構造によれば、例えばマンションの外壁や床等の共用部保全改修工事を行う場合に、パーティションボードは、取り外すのに非常な手間がかかることから、設置したままの状態にしておくため、工事中にパーティションボードが邪魔になって互いに隣室のベランダを直接行き来することができず、そのためベランダの手摺りを乗り越え、手摺りの外側に設置された足場に移ってそこからまた手摺りを乗り越えなければ、隣室のベランダに移れないことになり、施工能率が非常に悪かった。また、建物の外壁やベランダの床を塗装する際にはパーティションボードの設置されている箇所では作業がし難く、また作業できない部分が生じる、と云った問題もあった。
【０００４】
本発明は、上記のような事情に鑑み、建物の改修工事等を行う際にパーティションボードを開閉できる取付構造にすることによって、互いの隣室間の通行を可能とし、それによって改修工事等の施工能率及び施工精度の向上を図ることができるようにすることを目的とする。
【０００５】
【課題を解決するための手段】
請求項１に係る発明のパーティションボードの取付構造は、パーティションボード１の一側端部を蝶番１０によってベランダ等の手摺り９，３１側に枢着し、他側端部に取り付けた固定具１１によって該他側端部を建物躯体壁８側に着脱可能に固定し、この固定具１１を建物躯体壁８から取り外してボード他側端部の固定を解放することによって、パーティションボード１をその一側端部の蝶番１０を中心に回動開閉可能とし、パーティションボード１は前記一側端部を蝶番１０の取付板１２に対して手摺り側に近づく方向にスライド可能に取り付けてなることを特徴とする。
【０００６】
請求項２は、請求項１に記載のパーティションボードの取付構造において、蝶番１０は、一対の取付板１２，１３の夫々の一端側に、夫々断面Ｌ字状の屈曲部片１２ａ，１３ａを介してピン挿通用円管部１４，１５を連設し、これら円管部円管部１４，１５に枢支ピン１６を挿通して前記一対の取付板１２，１３を互いに枢着してなることを特徴とする。
【０００７】
請求項３は、請求項１又は２に記載のパーティションボードの取付構造において、蝶番１０の各取付板１２，１３には円管部１４，１５の軸方向と直交する方向に長いボルト及び又はビス挿通用の長孔１７，１８，１９を設けてなることを特徴とする。
【０００９】
【発明の実施の形態】
図１は建物のベランダの縦断面図、図２は図１のＸ−Ｘ線拡大断面図、図３の（Ａ）は図２のＹ−Ｙ線断面図、（Ｂ）は図１のＺ−Ｚ線拡大断面図である。これらの図において、１はベランダにおいて、互いの隣室間の境界又は目隠し等として設置されるパーティションボードで、左右両縦枠２，２、上下横枠３，４及び中横枠５からなる金属製の周枠６と、この周枠６に嵌め込まれたボード本体７，７とによって構成され、各ボード本体７は火災等不測の事態に備えて石膏ボード等の破壊し易い材料で形成されている。８は建物のコンクリート製躯体壁であり、９はベランダのコンクリート製手摺り壁、Ｓはスラブ壁である。
【００１０】
このパーティションボード１は、周枠６の一方の縦枠２が上下２箇所で蝶番１０によってベランダの手摺り壁９に枢着され、他方の縦枠２が上下及びその中間の３箇所で固定具１１によって建物のコンクリート躯体壁８に固定されていて、固定具１１による上記他方の縦枠２側の固定を解放することによって、このパーティションボード１を、上記一方の縦枠２の枢着部を中心に開閉できるようになっている。
【００１１】
このパーティションボード１の取付構造について更に詳しく説明すると、先ず、各蝶番１０は、図２及び図３に示すように、一対の取付板１２，１３の夫々の一端側に夫々断面Ｌ字状に屈曲した屈曲部片１２ａ，１３ａを介してピン挿通用円管部１４，１５を連設し、これら円管部１４，１５に枢支ピン１６を挿通して取付板１２，１３を互いに枢着してなる構造のもので、一方の取付板１２には、円管部１４の軸方向と直交する方向に長いボルト挿通用長孔１７及びビス挿通用長孔１８が設けられ、また他方の取付板１３には、円管部１５の軸方向と直交する方向に長いボルト挿通用長孔１９が設けられている。
【００１２】
この蝶番１０によってパーティションボード１の周枠６をベランダの手摺り壁９に枢着するには、各蝶番１０の一方の取付板１２をボルト２０及びナット２１とビス２２とによって周枠６の一方の縦枠２の上下所定箇所に取り付ける。即ち、縦枠２には予めボルト挿通孔を設けておいて、取付板１２のボルト挿通用長孔１７から縦枠２のボルト挿通孔にボルト２０を挿通してナット２１で締め付け、、また同取付板１２のビス挿通用長孔１８にビス２２を縦枠２にねじ込むことによって、取付板１２を縦枠２に固定する。他方の取付板１３は、コンクリート製の手摺り壁９にホールインアンカー２３をボルト挿通用長孔１９からアンカーボルト２４をねじ込んで締め付けることによって、ホールインアンカー２３が開径し、手摺り壁９に固定する。この際、取付板１２，１３は、ボルト挿通用長孔１７，１９及びビス挿通用長孔１８を利用して、取付位置を適宜に調整することができる。
【００１３】
固定具１１は、図２に示すように、パーティションボード１の周枠６の縦枠２に嵌合するコ字形嵌合部片２５ａに取付部片２５ｂを一体に突設してなる取付金物２５を含み、この取付金物２５のコ字形嵌合部片２５ａを周枠６の縦枠２に嵌合させてリベット２６により固定すると共に、躯体壁８にホールインアンカー２７を取付部片２５ｂのボルト挿通孔（図示省略）からアンカーボルト２８をねじ込んで締め付けることによって、周枠６の遊端部側縦枠２を躯体壁８に取り付け固定するようになっている。
【００１４】
上記のようにして両側端部が躯体壁８と手摺り壁９に取り付けられたパーティションボード１は、建物のベランダ部分を隣合う隣室の境界部で仕切る仕切板又は目隠しであるから、常時はこの取付状態のままで取り外されることはないが、例えば建物の共用部の保全改修工事を行うような場合に、固定具１１を取り外すことによって、蝶番１０の取り付けられた周枠６の枢着端部側縦枠２を中心に回動開閉することができる。
【００１５】
このパーティションボード１を開閉可能とするには、図２から分かるように、先ずボルト２８を緩めてホールインアンカー２７から取り外すが、ボルト２８を取り外しただけでは、周枠６の遊端部側縦枠２に固定された取付金物２５が躯体壁８に当接状態にあるためパーティションボード１を開放させることができないから、蝶番１０のボード側取付板１２を周枠６の縦枠２に固定しているボルト２０及びビス２２を緩め、これらを挿通する長孔１７，１８を利用して、周枠６を手摺り壁９側へスライドさせることにより、周枠６の遊端部側縦枠２にある取付金物２５と躯体壁８との間に適当な隙間を形成し、しかる後、このパーティションボード１を、蝶番１０の取り付けられた周枠６の枢着端部側を中心に図４の実線図示のように回動開放させるようにすればよい。尚、取付金物２５を周枠６の縦枠２から取り外してもよい。
【００１６】
こうしてパーティションボード１を開放させることによって、建物の改修工事中は、互いに隣室のベランダを直接行き来することができるようになり、従来のようにベランダの手摺りを乗り越える必要がないため、作業のロスが少なく、施工能率が非常に良くなる。そして、ベランダの床を補修したり塗装する際に、これまでパーティションボード１の設置されていた箇所の作業も容易に行うことができ、施工能率の向上及び施工精度の向上を図ることができる。
【００１７】
また、この実施形態に示すように、蝶番１０によってパーティションボード１の一側端部が枢着される側を手摺り壁９側とすれば、躯体壁８側のボード取付部分を完全に開放させることができるから、躯体壁８の外壁補修作業や塗装作業が非常にし易くなり、これによって施工能率の向上及び施工精度の向上を図ることができる。
【００１８】
また、パーティションボード１の一側端部を手摺り壁９に枢着するのに使用する蝶番１０は、両取付板１２，１３の夫々一端側に夫々断面Ｌ字状に屈曲した屈曲部片１２ａ，１３ａを介してピン挿通用円管部１４，１５を連設してなる構造であって、各取付板１２，１３とピン挿通用円管部１４，１５との間に屈曲部片１２ａ，１３ａを介在させたことにより、各取付板１２，１３の取付面１２ｏ，１３ｏに沿った面上にピン挿通用円管部１４，１５が存在しなくなるから、取付板１２に対するパーティションボード１の取付位置を、この取付板１２の取付面１２ｏに沿って比較的大幅に変更調整することができ、それによりパーティションボード１の一側端部と手摺り壁９との間の隙間、あるいはこのボード１の他側端部と躯体壁８との間の隙間を可なりの範囲にわたって加減調整することができる。
【００１９】
図２には、パーティションボード１の周枠６の枢着端部側縦枠２を取付板１２の取付面１２ｏに沿って手摺り壁９に近づく方向にスライドさせている状態を仮想線で示している。因みに、従来一般に使用されている蝶番は、上記のような屈曲部片１２ａ，１３ａに相当するものがなく、取付板の一端にピン挿通用円管部が直接設けられていて、取付板の取付面に沿った面上にピン挿通用円管部が突出するような構造であるから、パーティションボード１の取付位置を取付板の取付面に沿って変位できる範囲は極僅かで、ほとんど調整できない。
【００２０】
図５は、図１と同様な建物のベランダを示す縦断面図であるが、図１のベランダの手摺りがコンクリート製の手摺り壁９であるのに対し、ここでは手摺りがアルミ製の格子状手摺りからなるもので、角筒状の手摺り支柱３１と躯体壁８とにパーティションボード１を取り付けた場合の実施形態を示している。図６は図５のＶ−Ｖ線拡大断面図、図７は図６のＷ−Ｗ線断面図、図８は蝶番１０の斜視図である。
【００２１】
この実施形態に示す蝶番１０は、図１〜図４に示すものと殆ど同じであるが、ここでは枢支ピン１６に対する取付板１２，１３の配置関係が図１〜図４の場合と異なっている。即ち、この蝶番１０は、一対の取付板１２，１３の夫々一端側に屈曲部片１２ａ，１３ａを介してピン挿通用円管部１４，１５を連設し、これら円管部１４，１５に枢支ピン１６を挿通したもので、上下２つの取付板１２，１３が夫々枢支ピン１６に対し同じ向きに位置するように円管部１４，１５を介して取り付けられており、また各取付板１２，１３にボルト挿通用長孔１７とビス挿通用長孔１８が設けられている。因みに、図１〜図４に示す蝶番１０では、図２から分かるように、上下２つの取付板１２，１３が夫々枢支ピン１６に対し互いに上下が逆向きとなるように円管部１４，１５を介して取り付けてある。
【００２２】
この蝶番１０によってパーティションボード１の一側端部をベランダの手摺り支柱３１に枢着するとき、各蝶番１０の一方の取付板１２は、ボルト挿通用長孔１７から周枠６の縦枠に設けたボルト貫通孔（図示せず）にボルト２０を通してナット２１で締め付けると共に、ビス挿通用長孔１８からビス２２を縦枠２にねじ込むことによって固定し、他方の取付板１３は、ボルト挿通用長孔１７から角筒状手摺り支柱３１のボルト貫通孔（図示せず）にボルト３２を通してナット３３で締め付けると共に、ビス挿通用長孔１８からビス３４を手摺り支柱３１にねじ込むことによって固定する。この場合も、取付板１２，１３は、ボルト挿通用長孔１７，１８によって取付位置を適宜調整できる。また、このパーティションボード１の他側端部は、固定具１１によって、躯体壁８に取り付け固定される。この固定具１１については、図１〜図４に示す実施形態と同様である。
【００２３】
この実施形態の蝶番１０は、図６及び図８から分かるように、上下２つの取付板１２，１３が夫々枢支ピン１６に対し同じ向きに位置するように円管部１４，１５を介して取り付けられているため、手摺り側の取付板１３をパーティションボード１のボード本体７に沿った平面３５上で手摺り支柱３１に取り付けることができる。つまり、上下両取付板１２，１３が枢支ピン１６に対し同じ向きに取り付けられた蝶番１０は、手摺り側取付板１３を取り付ける手摺り支柱３１がパーティションボード１の設置される位置と同列状に設置されている場合に有効である。また、この場合も、ボード側取付板１２に対するパーティションボード１の取付位置を比較的大幅に変更調整することができる。
【００２４】
図５〜図８に示す実施形態では、蝶番１０の手摺り側取付板１３を取り付ける手摺り支柱３１が角形材で形成されたものであるが、図９には、ベランダの床部側から天井側まで延びる断面略Ｈ状の形材からなる手摺り支柱３６に蝶番１０の手摺り側取付板１３を取り付けた場合の実施形態を示す。この実施形態における蝶番１０の配置状態、並びにこの蝶番１０のボード側取付板１２の取付構造及び手摺り側取付板１３の取付構造については、図５〜図８の実施形態と同様であるため、その説明を省略する。
【００２５】
以上説明したように、パーティションボード１をベランダに設置するにあたって、パーティションボード１の一側端部を蝶番１０によってベランダの手摺り側に枢着し、他側端部を固定具１１に建物躯体壁８側に固定するから、例えば建物の共用部の改修工事を行うような場合に、固定具１１によるボード他側端部の固定を解放することによって、蝶番１０の取り付けられた縦枠２の枢着端部側を中心に回動開放させることができる。こうしてパーティションボード１を開放させることによって、工事中は、互いに隣室のベランダを直接行き来することができるから、作業のロスが少なく、施工能率が非常に良くなり、またベランダの床を補修したり、塗装する場合には、パーティションボード１の設置されていた箇所の作業も十分に行うことができる。また、上記のように蝶番１０によってパーティションボード１の一側端部が枢着される側を手摺り壁９側にすれば、躯体壁８側のボード取付部分を完全に開放できるため、躯体壁８の外壁補修作業や塗装作業が非常にし易く、施工能率の向上及び施工精度の向上を図ることができる。
【００２６】
上記のような改修工事中は、建物内で居住者が生活している場合がほとんどであるから、その日の工事が終了した後は、パーティションボード１を閉じて、その遊端部を躯体壁８側にロックしておく。この場合のロックは、周枠６の縦枠２に取り付けてある取付金物２５の取付部片２５ｂから例えば蝶ボルト（図示省略）を、躯体壁８側のホールインアンカー２７にねじ込んで締め付け固定するようにすればよい。
【００２７】
本発明に係るパーティションボードの取付構造は、建物の新築時にパーティションボードを新設する際の取付構造として実施してもよいし、また築後数年経っている建物において、既設のパーティションボードを一旦取り外し、そのパーティションボードを本発明の取付構造によって取り付けるようにしてもよい。
【００２８】
【発明の効果】
請求項１に係る発明のパーティションボードの取付構造は、パーティションボードの一側端部を蝶番によって手摺り側に枢着し、他側端部を固定具によって建物躯体壁側に固定したものであるから、例えば、建物の共用部の改修工事を行うような場合に、固定具を取り外して固定具によるボードの固定を解放することによって、パーティションボードを回動開閉させることができる。従って、その工事中は、互いに隣室のベランダを直接行き来することができるようになるから、従来のようにベランダの手摺りを乗り越える必要がなくなって、作業のロスが少なくなり、施工能率が非常に良くなり、そしてベランダの床を補修したり塗装する際に、パーティションボードの設置されていた箇所の作業も容易に行えるから、施工能率の向上と共に施工精度の向上を図ることができる。
【００２９】
特にこの発明では、パーティションボードの一側端部を蝶番により手摺り側に枢着し、他側端部を固定具で建物躯体壁側に固定したことにより、建物躯体側のボード取付部分を完全に開放できるため、建物の外壁補修作業や塗装作業がし易く、施工能率の向上及び施工精度の向上を図ることができる。
【００３０】
請求項２に記載のように、蝶番は、一対の取付板の夫々一端側に、夫々断面Ｌ字状の屈曲部片を介してピン挿通用円管部を連設し、これら円管部に枢支ピンを挿通して前記一対の取付板を互いに枢着してなる構造であって、各取付板とピン挿通用円管部との間に屈曲部片を介在させたことにより、各取付板の取付面に沿った面上にピン挿通用円管部が存在しなくなるから、パーティションボード側取付板に対するパーティションボードの取付位置を、この取付板の取付面に沿って比較的大幅に変更調整でき、それによりパーティションボードの枢着側端面と手摺り又は躯体壁面との間に形成される隙間を可なりの範囲にわたって加減調整することができる。
【００３１】
請求項３に記載のように、蝶番の各取付板には円管部の軸方向と直交する方向に長いボルト及び又はビス挿通用の長孔が設けられているため、このボルト挿通用長孔又はビス挿通用長孔によって、取付板の取付位置を適宜調整することができる。
【図面の簡単な説明】
【図１】  本発明の一実施形態を示す建物のベランダの縦断面図である。
【図２】  図１のＸ−Ｘ線拡大断面図である。
【図３】  （Ａ）は図２のＹ−Ｙ線断面図、（Ｂ）は図１のＺ−Ｚ線拡大断面図である。
【図４】  パーティションボードを開放した状態を示す横断面図である。
【図５】  他の実施形態を示す建物のベランダの縦断面図である。
【図６】  図５のＶ−Ｖ線拡大断面図である。
【図７】  図６のＷ−Ｗ線断面図である。
【図８】  図５〜図７に示す蝶番の斜視図である。
【図９】  更に他の実施形態におけるパーティションボードの枢着部分を示す図２及び図６と同様な断面図である。
【図１０】  図９のＱ−Ｑ線断面図である。
【符号の説明】
１                      パーティションボード
６                      周枠
７                      ボード本体
８                      建物の躯体壁
９                      手摺り壁
１０                    蝶番
１１                    固定具
１２，１３              取付板
１２ａ，１３ａ          屈曲部片
１４，１５              蝶番の円管部
１６                    枢支ピン
１７，１８，１９        蝶番の取付板に設けられた長孔
【図１】
0003732120.tif 000002
【図２】
0003732120.tif 000003
【図３】
0003732120.tif 000004
【図４】
0003732120.tif 000005
【図５】
0003732120.tif 000006
【図６】
0003732120.tif 000007
【図７】
0003732120.tif 000008
【図８】
0003732120.tif 000009
【図９】
0003732120.tif 000010
【図１０】
0003732120.tif 000011